(57)【要約】【課題】操作者自身の今後の行動の参考にすることが可能な情報を容易に提供することができるとともに、当該情報を提供するにあたり利便性を向上させた通信端末装置を提供すること。【解決手段】本実施形態の携帯用電話機１００は、イベントなどの所定の事象に関する記事を示すＷｅｂページデータについて、当該Ｗｅｂページデータに示される記事の要点を示す要点データと、当該要点データが格納された要点データ用ＵＲＬデータと、を複数取得して一覧表データを生成し、所定のタイミングにて当該生成した一覧表データを閲覧可能に表示するようになっている。【選択図】図２
2007148956.tif 000002
【特許請求の範囲】
【請求項１】
ネットワークを介して第三者に対して提供することを目的とした所定の事象に関する記事を示す記事データを所定のサーバ装置から取得して操作者に閲覧可能に表示する通信端末装置であって、
所定の時間間隔毎に予め定められた前記サーバ装置から所定の事象に関する記事データにおける当該記事の要点を示す文書データと当該事象が実施される日時を示す日時データとを、前記文書データにおけるネットワーク内にて他の文書データと識別するための識別情報に基づいて複数取得する文書データ取得手段と、
少なくとも前記文書データの配列を行う時点の日付を基準に、前記取得した各文書データを前記日時データによって示される日時に基づいて配列する配列手段と、
所定のタイミングにて前記配列された各文書データを閲覧可能に表示手段に表示させる表示制御手段と、
を備えることを特徴とする通信端末装置。
【請求項２】
請求項１に記載の発明において、
前記文書データ取得手段が、前記文書データに含まれている日時データを取得すること、または、当該文書データを構成している文書から日時を認識して日時データを取得することの少なくとも何れか一方によって当該日時データを取得することを特徴とする通信端末装置。
【請求項３】
請求項１または２に記載の発明において、
前記文書データ取得手段が、文書データを構成している文書から日時を認識する場合に、前記文書データを構成している文書と、当該文書データにおける日時を示し、前記ネットワーク上にて授受されることによって付与される属性情報と、に基づいて当該日時を認識して日時データを取得することを特徴とする通信端末装置。
【請求項４】
請求項１乃至３の何れか一項に記載の発明において、
所定の操作を行う際に用いる操作手段を有し、
前記表示制御手段が、当該操作手段における所定の操作が不能となっている操作不能状態から当該操作手段における操作が可能となる操作可能状態に切り換わったタイミングにて前記配列された各文書データを前記表示手段に表示させることを特徴とする通信端末装置。
【請求項５】
請求項１乃至４に記載の発明において、
前記文書データを取得する際に当該文書データの基の記事データにおけるネットワーク内にて他の記事データと識別するための識別情報を取得する識別情報取得手段と、
前記配列されて表示された各文書データから一の文書データを選択する際に用いる選択手段と、
前記選択手段によって一の文書データが選択された場合に、当該対応付けて取得した識別情報に基づいて記事データを取得する記事データ取得手段と、
を更に備え、
前記表示制御手段が、前記選択手段によって一の文書データが選択された場合に、取得した記事データを閲覧可能に前記表示手段に表示させることを特徴とする通信端末装置。
【請求項６】
請求項１乃至５の何れか一項に記載の発明において、
前記配列手段が、予め設定された期間内における前記文書データのみを前記日時データによって示される日時に基づいて配列することを特徴とする通信端末装置。
【請求項７】
請求項１乃至６の何れか一項に記載の発明において、
前記文書データ取得手段が、前記文書データとして前記記事データの見出しを示すデータを取得することを特徴とする通信端末装置。
【請求項８】
ネットワークを介して第三者に対して提供することを目的とした所定の事象に関する記事を示す記事データを所定のサーバ装置から取得して操作者に閲覧可能に表示する通信端末装置における記事データの表示方法であって、
所定の時間間隔毎に予め定められた前記サーバ装置から所定の事象に関する記事データにおける当該記事の要点を示す文書データと当該事象が実施される日時を示す日時データとを、前記記事データにおけるネットワーク内にて他の文書データと識別するための識別情報に基づいて複数取得する取得工程と、
少なくとも前記文書データの配列を行う時点の日付を基準に、前記取得した各文書データを前記日時データによって示される日時に基づいて配列する配列工程と、
所定のタイミングにて前記配列された各文書データを閲覧可能に表示手段に表示させる表示制御工程と、
を含むことを特徴とする記事データの表示方法。
【請求項９】
コンピュータによって、ネットワークを介して第三者に対して提供することを目的とした所定の事象に関する記事を示す記事データを所定のサーバ装置から取得して操作者に閲覧可能に表示する通信端末装置における記事データの表示プログラムであって、
前記コンピュータを、
所定の時間間隔毎に予め定められた前記サーバ装置から所定の事象に関する記事データにおける当該記事の要点を示す文書データと当該事象が実施される日時を示す日時データとを、前記記事データにおけるネットワーク内にて他の文書データと識別するための識別情報に基づいて複数取得する文書データ取得手段、
少なくとも前記文書データの配列を行う時点の日付を基準に、前記取得した各文書データを前記日時データによって示される日時に基づいて配列する配列手段、
所定のタイミングにて前記配列された各文書データを閲覧可能に表示手段に表示させる表示制御手段、
として機能させることを特徴とする記事データの表示プログラム。
【発明の詳細な説明】
【技術分野】
【０００１】
本発明は、ネットワークを介して第三者に対して提供することを目的とした所定の事象に関する記事を表示する通信端末装置の分野に属する。
【背景技術】
【０００２】
近年、インターネットなどのコンピュータ・ネットワークの発達とともに、携帯電話装置などの携帯用通信端末装置の普及、および、技術的な進歩などにより、当該携帯用通信端末装置によってＷＷＷ（World Wide Web）サーバ装置などの他の通信装置によって提供されるホームページなどのドキュメントデータの取得、および、閲覧を行うことが一般化してきている。
【０００３】
特に、最近では、ＲＳＳ（Rich Site Summary）などのインターネット上において、サーバ装置によって提供されるホームページその他のドキュメントデータを当該ドキュメントデータが更新される毎に取得するプログラムや当該ドキュメントデータが更新される毎に自動的に通信端末装置に配信するサーバ装置が知られている（例えば、特許文献１）。
【特許文献１】特開２００４−２０１２０９号公報
【発明の開示】
【発明が解決しようとする課題】
【０００４】
しかしながら、上述のようなドキュメントデータの取得プログラムまたは当該ドキュメントデータを配信するサーバ装置であっては、提供されるドキュメントデータの更新日を基準としてドキュメントデータの取得および配信を行うようになっているものの、現在の日付または現在時刻に基づいて、今後の予定を基準としてイベントなどの事象を示すドキュメントデータの取得および配信を行うようになっていない。
【０００５】
本発明は、上記の課題の一例を解決するものとして、操作者自身の今後の行動の参考にすることが可能な情報を容易に提供することができるとともに、当該情報を提供するにあたり利便性を向上させた通信端末装置を提供することを目的とする。
【課題を解決するための手段】
【０００６】
上記の課題を解決するために、ネットワークを介して第三者に対して提供することを目的とした所定の事象に関する記事を示す記事データを所定のサーバ装置から取得して操作者に閲覧可能に表示する通信端末装置であって、所定の時間間隔毎に予め定められた前記サーバ装置から所定の事象に関する記事データにおける当該記事の要点を示す文書データと当該事象が実施される日時を示す日時データとを、前記文書データにおけるネットワーク内にて他の文書データと識別するための識別情報に基づいて複数取得する文書データ取得手段と、少なくとも前記文書データの配列を行う時点の日付を基準に、前記取得した各文書データを前記日時データによって示される日時に基づいて配列する配列手段と、所定のタイミングにて前記配列された各文書データを閲覧可能に表示手段に表示させる表示制御手段と、を備える構成を有している。
【０００７】
この構成により、請求項１に記載の発明は、取得した文書データを配列する際に、事象が実施される日時を示す日時データに基づいて、少なくとも文書データの配列を行う時点の日付を基準に当該文書データを配列するともに、所定のタイミングにて配列された各文書データを閲覧可能に表示手段に表示させる。
【０００８】
したがって、請求項１に記載の発明は、各文書データが配列された時点の日付より先に生じる事象の記事が配列されて表示されることにより、操作者自身の今後の行動の参考にすることが可能な情報を容易に提供することができるとともに、当該情報を提供するにあたり利便性を向上させることができる。
【０００９】
また、請求項２に記載の発明は、請求項１に記載の発明において、前記文書データ取得手段が、前記文書データに含まれている日時データを取得すること、または、当該文書データを構成している文書から日時を認識して日時データを取得することの少なくとも何れか一方によって当該日時データを取得する構成を有している。
【００１０】
この構成により、請求項２に記載の発明は、文書データに含まれている日時データを取得すること、または、当該文書データを構成している文書から日時を認識して日時データを取得するので、日時データが文書データに含まれている場合には、当該含まれている日時データによって、または、日時データが含まれていない場合であっても、文書データから認識することによって、事象が実施される日時を取得することができる。
【００１１】
また、請求項３に記載の発明は、請求項１または２に記載の発明において、前記文書データ取得手段が、文書データを構成している文書から日時を認識する場合に、前記文書データを構成している文書と、当該文書データにおける日時を示し、前記ネットワーク上にて授受されることによって付与される属性情報と、に基づいて当該日時を認識して日時データを取得する構成を有している。
【００１２】
この構成により、請求項３に記載の発明は、文書データを構成している文書から日時を認識する場合に、文書データを構成している文書と当該文書データにおける日時を示す属性情報に基づいて当該日時を認識して日時データを取得する。
【００１３】
したがって、請求項３に記載の発明は、例えば、文書データを取得する際にネットワーク上または各通信端末装置において付与される取得日時など当該文書データの日時を示す属性情報と文書データを構成している文書から日時を認識することができるので、文書データ中における、「今日」、「明日」または「１０日後」などそれ自体では日時を認識することができない文字を有する文書であっても、属性情報を用いることによって日時を認識することができる。
【００１４】
また、請求項４に記載の発明は、請求項１乃至３の何れか一項に記載の発明において、所定の操作を行う際に用いる操作手段を有し、前記表示制御手段が、当該操作手段における所定の操作が不能となっている操作不能状態から当該操作手段における操作が可能となる操作可能状態に切り換わったタイミングにて前記配列された各文書データを前記表示手段に表示させる構成を有している。
【００１５】
この構成により、請求項４に記載の発明は、操作不能状態から当該操作手段における操作が可能となる操作可能状態に切り換わったタイミング各文書データを表示するので、特別の操作を行うことなく、かつ、確実に、各文書データを操作者に閲覧させることができ、操作者自身の今後の行動の参考にすることが可能な情報を容易に提供すること、および、当該情報を提供するにあたり利便性を向上させることができる。
【００１６】
また、請求項５に記載の発明は、請求項１乃至４の何れか一項に記載の発明において、前記文書データを取得する際に当該文書データの基の記事データにおけるネットワーク内にて他の記事データと識別するための識別情報を取得する識別情報取得手段と、前記配列されて表示された各文書データから一の文書データを選択する際に用いる選択手段と、前記選択手段によって一の文書データが選択された場合に、当該対応付けて取得した識別情報に基づいて記事データを取得する記事データ取得手段と、を更に備え、前記表示制御手段が、前記選択手段によって一の文書データが選択された場合に、取得した記事データを閲覧可能に前記表示手段に表示させる構成を有している。
【００１７】
この構成により、請求項５に記載の発明は、操作者によって表示された各文書データのうち一の文書データが選択されると、当該選択された文書データに対応する記事デーが表示される。
【００１８】
したがって、請求項５に記載の発明は、操作者が興味を頂いた記事に関しては、要点だけでなく、記事全体を提供することができるので、操作者に情報を提供するにあたり更に利便性を向上させることができる。
【００１９】
また、請求項６に記載の発明は、請求項１乃至５の何れか一項に記載の発明において、前記配列手段が、予め設定された期間内における前記文書データのみを前記日時データによって示される日時に基づいて配列する構成を有している。
【００２０】
この構成により、請求項６に記載の発明は、予め設定された期間内における文書データのみを日時データによって示される日時に基づいて配列するので、操作者自身の今後の行動と無関係の記事を排除することができ、情報を提供するにあたり更に利便性を向上させることができる。
【００２１】
また、請求項７に記載の発明は、請求項１乃至６の何れか一項に記載の発明において、前記文書データ取得手段が、前記文書データとして前記記事データの見出しを示すデータを取得する構成を有している。
【００２２】
この構成により、請求項７に記載の発明は、記事の内容を的確に表す見出しを用いて記事データの要点を表示することができるので、的確にかつ確実に操作者に情報を提供することができる。
【００２３】
また、請求項８に記載の発明は、ネットワークを介して第三者に対して提供することを目的とした所定の事象に関する記事を示す記事データを所定のサーバ装置から取得して操作者に閲覧可能に表示する通信端末装置における記事データの表示方法であって、所定の時間間隔毎に予め定められた前記サーバ装置から所定の事象に関する記事データにおける当該記事の要点を示す文書データと当該事象が実施される日時を示す日時データとを、前記記事データにおけるネットワーク内にて他の文書データと識別するための識別情報に基づいて複数取得する取得工程と、少なくとも前記文書データの配列を行う時点の日付を基準に、前記取得した各文書データを前記日時データによって示される日時に基づいて配列する配列工程と、所定のタイミングにて前記配列された各文書データを閲覧可能に表示手段に表示させる表示制御工程と、を含む構成を有している。
【００２４】
この構成により、請求項８に記載の発明は、取得した文書データを配列する際に、事象が実施される日時を示す日時データに基づいて、少なくとも文書データの配列を行う時点の日付を基準に当該文書データを配列するともに、所定のタイミングにて配列された各文書データを閲覧可能に表示手段に表示させる。
【００２５】
したがって、請求項８に記載の発明は、各文書データが配列された時点の日付より先に生じる事象の記事が配列されて表示されることにより、操作者自身の今後の行動の参考にすることが可能な情報を容易に提供することができるとともに、当該情報を提供するにあたり利便性を向上させることができる。
【００２６】
また、請求項９に記載の発明は、コンピュータによって、ネットワークを介して第三者に対して提供することを目的とした所定の事象に関する記事を示す記事データを所定のサーバ装置から取得して操作者に閲覧可能に表示する通信端末装置における記事データの表示プログラムであって、前記コンピュータを、所定の時間間隔毎に予め定められた前記サーバ装置から所定の事象に関する記事データにおける当該記事の要点を示す文書データと当該事象が実施される日時を示す日時データとを、前記記事データにおけるネットワーク内にて他の文書データと識別するための識別情報に基づいて複数取得する文書データ取得手段、少なくとも前記文書データの配列を行う時点の日付を基準に、前記取得した各文書データを前記日時データによって示される日時に基づいて配列する配列手段、所定のタイミングにて前記配列された各文書データを閲覧可能に表示手段に表示させる表示制御手段、として機能させる構成を有している。
【００２７】
この構成により、請求項９に記載の発明は、取得した文書データを配列する際に、事象が実施される日時を示す日時データに基づいて、少なくとも文書データの配列を行う時点の日付を基準に当該文書データを配列するともに、所定のタイミングにて配列された各文書データを閲覧可能に表示手段に表示させる。
【００２８】
したがって、請求項９に記載の発明は、各文書データが配列された時点の日付より先に生じる事象の記事が配列されて表示されることにより、操作者自身の今後の行動の参考にすることが可能な情報を容易に提供することができるとともに、当該情報を提供するにあたり利便性を向上させることができる。
【発明の効果】
【００２９】
本願発明は、各文書データが配列された時点の日付より先に生じる事象の記事が配列されて表示されることにより、操作者自身の今後の行動の参考にすることが可能な情報を容易に提供することができるとともに、当該情報を提供するにあたり利便性を向上させることができる。
【発明を実施するための最良の形態】
【００３０】
次に、本発明に好適な実施の形態について、図面に基づいて説明する。
【００３１】
以下に説明する実施の形態は、ホームページなどのＷＷＷ（World Wide Web）システムを使ってインターネット上に公開されたＷｅｂページを構成するリソースデータ（以下、「Ｗｅｂページデータ」という。）を取得して表示可能な携帯用電話機に対して本願の通信端末装置を適用した場合の実施形態である。
【００３２】
なお、このリソースデータは、ＨＴＭＬ（Hyper Text Markup Language）やＸＭＬ（eXtensible Markup Language）といったマークアップ言語によって記述されたデータをいい、具体的には、閲覧させる文書または画像などの要素データをタグと呼ばれる識別子を用いて構築されたデータをいう。
【００３３】
まず、図１に用いて本願の携帯用電話機の概要構成について説明する。なお、本実施形態の携帯用電話機が属するデータ配信システムの構成を示すブロック図である。
【００３４】
本実施形態の携帯用電話機１００は、基地局ＢＳを介してネットワークＮに接続し、所定のサーバ装置１０から所定のマークアップ言語にて記述された種々のＷｅｂページデータを取得して表示するようになっている。
【００３５】
特に、本実施形態の携帯用電話機１００は、本やＣＤなどの発売に関する情報、コンサートや興行イベント関する情報などの所定の事象の記事を示すＷｅｂページデータについて、当該Ｗｅｂページデータに示される記事の要点を示す文書データ（以下、「要点データ」という。）と、ＵＲＬ（Uniform Resource Locator）と呼ばれる当該Ｗｅｂページデータその他のが所定のサーバ装置１０に格納されている際のアドレスを示すデータであって、ネットワークＮ上において他のＷｅｂページデータと識別するためのデータ（以下、「ＵＲＬデータ」という。）と、を複数取得して一覧表として表示するようになっている。
【００３６】
具体的には、本実施形態の携帯用電話機１００は、予め操作者が定めた時間間隔毎など所定のタイミングにて、予め登録された要点データを取得するためのＵＲＬデータ（以下、「要点データ用ＵＲＬデータ」という。）に基づいて当該要点データを取得するとともに、各要点データとともに当該Ｗｅｂページデータに示される記事において、事象が実施される日時を示すデータ（以下、「日時データ」という。）を、要点データから抽出し、または、当該取得した要点データ内に示される文字を認識して抽出するようになっている。
【００３７】
また、この携帯用電話機１００は、現在の日時を基準に、抽出して取得した日時データによって示される日時に基づいて各要点データを配列させて表示するための一覧表のデータ（以下、「一覧表データ」という。）を生成するとともに、通信待機状態などの操作者における所定の操作が不能となっている操作不能状態から操作者における所定の操作が可能となっている操作可能状態に切り換わった際に、すなわち、操作状態切換時に当該生成した一覧表データを操作者に閲覧可能に表示するようになっている。
【００３８】
さらに、この携帯用電話機１００は、一覧表データを表示した際には、表示された一の要点データの選択操作など操作者の操作に連動させ、当該表示されている要点データとともに取得した基のＷｅｂページのＵＲＬデータ（以下、「Ｗｅｂページ用ＵＲＬデータ」という。）に基づいて、当該要点データの基のＷｅｂページデータを所定のサーバ装置１０から取得して操作者に閲覧可能に表示するようになっている。
【００３９】
このように、本実施形態の携帯用電話機１００は、事象が実施される日時において、要点データの配列を行う現在の日時を基準に当該文書データを配列して表示するようになっており、操作者自身の今後の行動の参考にすることが可能な情報を容易に提供することができるとともに、当該情報を提供するにあたり利便性を向上させることができるようになっている。
【００４０】
なお、本実施形態の要点データは、例えばＷｅｂページデータ上の記事におけるタイトル、すなわち、所定の文字数にて構成される見出しを示すデータであり、Ｗｅｂページデータの提供者によって予め生成されている。また、この要点データは、当該要点データの基になるＷｅｂページデータのＵＲＬとは異なる一のＵＲＬに対応付けて所定のサーバ装置１０内に記憶されており、本実施形態の携帯用電話機１００は、当該ＵＲＬを示すＵＲＬデータに基づいて要点データを取得するようになっている。
【００４１】
次に、図２を用いて本実施形態における携帯用電話機１００の構成およびその動作について説明する。なお、本実施形態における携帯用電話機１００の構成を示す構成図である。
【００４２】
本実施形態の携帯用電話機１００は、図示しないアンテナを介して他の電話機、他の通信端末装置またはサーバ装置１０との通信を行う通信制御部１１０と、所定のサーバ装置１０から取得された要点データおよび各ＵＲＬデータその他のデータが格納されるデータ格納部１２０と、各要点データの取得および一覧表データの生成をアプリケーションとして実行するアプリケーション管理部１３０と、携帯用電話機１００の操作可能状態を検出する状態検出部１４０と、から構成される。
【００４３】
また、この携帯用電話機１００は、一覧表データその他の表示を行う表示部１５０と、当該表示部１５０の表示制御を行う表示制御部１６０と、各種の操作を行う操作部１７０と、各部を制御するシステム制御部１８０と、各部を制御する際に用いられるＲＯＭ／ＲＡＭ１９０と、から構成される。
【００４４】
さらに、この携帯用電話機１００は、着信時に呼出音を呼出音拡声用スピーカＳＰ１に出力するための出力制御部２００と、他の電話機との通話を行う際に音声が入力されるマイクロホンＭと、入力された音声を所定の信号に処理する音声処理部２１０と、通話時に受話音声を受話用スピーカＳＰ２に出力するための受話制御部２２０と、を備えている。
【００４５】
なお、例えば、本実施形態の通信制御部１１０は、本発明の文書データ取得手段および識別情報取得手段を構成し、アプリケーション管理部１３０は、本発明の各取得手段、配列手段および表示制御手段を構成する。また、例えば、本実施形態の操作部１７０は、本発明の操作手段およぶ選択手段を構成し、表示制御部１６０は、本発明の表示制御手段を構成する。さらに、例えば、本実施形態の表示部１５０は、本発明の表示手段を構成する。
【００４６】
通信制御部１１０は、図示しないアンテナを介して電話公衆網回線またはインターネットなどのネットワークＮに接続されるようになっており、システム制御部１８０の制御の下、ＨＴＴＰなどの所定の通信規格に対応して、携帯用電話機１００などの他の通信端末装置またはサーバ装置１０とのデータ通信を行うようになっている。
【００４７】
特に、本実施形態の通信制御部１１０は、所定のタイミングにて、接続されたネットワークＮを介して予めデータ格納部１２０に記憶された要点データ用ＵＲＬデータに基づいて、各サーバ装置１０と通信回線を確立し、要点データと、当該要点データの基になるＷｅｂページデータのＵＲＬデータ（Ｗｅｂページ用ＵＲＬデータ）と、を取得するようになっている。
【００４８】
例えば、本実施形態の通信制御部１１０は、１時間毎に予め記憶された要点データ用ＵＲＬデータに基づいて要点データとＷｅｂページ用ＵＲＬデータを取得するようになっている。
【００４９】
データ格納部１２０には、要点データ用ＵＲＬデータと、当該要点データ用ＵＲＬデータに基づいて取得した要点データ、日時データおよびＷｅｂページ用ＵＲＬデータと、が格納されるようになっており、各要点データ、日時データおよびＷｅｂページＵＲＬデータがそれぞれ対応付けて格納されている。
【００５０】
なお、このデータ格納部１２０には、ＵＲＬデータ、要点データおよび日時データの他に、他の通信端末装置の所有者の名称を示す氏名、通称名などの名称情報毎に、電話番号を示す電話番号情報、メールアドレスの情報などの種々の情報が格納されるようになっている。
【００５１】
アプリケーション管理部１３０は、予め定められたタイミングにてデータ格納部１２０に記憶されている各要点データ用ＵＲＬデータに基づいて要点データ、日時データおよびＷｅｂページ用ＵＲＬデータを取得するための制御を行うとともに、各要点データおよび日時データを取得した後に一覧表データを生成する一覧表データ生成処理と、操作状態切換時に当該生成した一覧表データを、表示制御部１６０を介して表示部１５０に表示させる表示制御（以下、「一覧表データ表示制御」という。）と、を行うようになっている。
【００５２】
具体的には、アプリケーション管理部１３０は、各要点データ用ＵＲＬデータに基づいて要点データおよびＷｅｂページ用ＵＲＬデータを取得するための制御を行うとともに、取得した要点データに日時データが含まれているか否かを判別するようになっている。
【００５３】
そして、このアプリケーション管理部１３０は、日時データに要点データが含まれている場合には、要点データから日時データを抽出し、データ格納部１２０に当該要点データ用ＵＲＬデータに対応付けて要点データおよびＷｅｂページ用ＵＲＬデータとともにデータ格納部１２０に記憶するようになっている。また、このアプリケーション管理部１３０は、日時データが要点データに含まれていない場合には、取得した要点データに基づいて日時を認識する認識処理を行い、認識された日時を日時データとして要点データ用ＵＲＬデータに対応付けて要点データおよびＷｅｂページデータとともにデータ格納部１２０に記憶するようになっている。
【００５４】
特に、本実施形態のアプリケーション管理部１３０は、認識処理としては、要点データにおいて閲覧可能に提供される文書データ部分の文字を判別することによって日時を認識し、認識した日時を示す日時データを生成するようになっており、当該生成された日時データを要点データ用ＵＲＬデータに対応付けてデータ格納部１２０に記憶するようになっている。
【００５５】
例えば、本実施形態のアプリケーション管理部１３０は、文書データ中に日時を示す文字を判別することによって日時を認識する他に、「本日」、「今日」または「明日」などの文字を検出し、システム制御部１８０におけるタイマ機能によって現在の日時に対応付けて日時を認識するようになっている。
【００５６】
なお、本実施形態のアプリケーション管理部１３０は、例えば、＜ＲＤＦ  ・・・・  ２００５．１１．１＞などの要点データに所定のタグに基づく日時のリソースデータが含まれているか否かを判断し、当該所定のタグにおける日時のリソースデータが含まれている場合には、要点データに日時データが含まれているものと判断し、当該リソースデータがなければ、要点データに日時データが含まれているものと判断するようになっている。
【００５７】
一方、本実施形態のアプリケーション管理部１３０は、要点データ用ＵＲＬデータに基づいて、各要点データおよび日時データを取得した後に、システム制御部１８０におけるタイマ機能と日時データに基づいて要点データを配列して一覧データを生成するようになっている。
【００５８】
具体的には、本実施形態のアプリケーション管理部１３０は、現在の月日を基準に、各要点データを、日時データに基づいて実施までの期間が短い日付順に配列して一覧表データを生成するようになっている。
【００５９】
このとき、本実施形態のアプリケーション管理部１３０は、現在の日時から３日間または１週間など操作者によって予め定められた期間内に当該事象が実施される要点データに対してのみ配列を行い、その他の要点データは一覧表データの生成には用いないようになっている。
【００６０】
また、このアプリケーション管理部１３０は、一覧表データが生成される毎に新たな一覧表データに更新するとともに、操作状態切換時に表示部１５０に表示すべく、当該タイミングにて生成されている一覧表データを表示制御部１６０に出力するようになっている。
【００６１】
他方、このアプリケーション管理部１３０は、上述のように、一覧表データを表示した際には、表示された一の要点データの選択操作など操作者の操作に連動させ、当該表示されている要点データとともに取得して記憶されたＷｅｂページ用ＵＲＬデータに基づいて、当該要点データの基のＷｅｂページデータを閲覧可能に所定のサーバ装置１０から取得するようになっており、表示制御部１６０を介して当該取得したＷｅｂページデータを表示部１５０に表示させる制御（以下、「Ｗｅｂページデータ選択表示制御」という。）を行うようになっている。
【００６２】
具体的には、本実施形態のアプリケーション管理部１３０は、表示部１５０に表示された一覧表データにおいて、一の要点データが操作部１７０の操作により選択された場合に、当該要点データに対応付けてデータ格納部１２０に格納されているＷｅｂページ用ＵＲＬデータを読み出すようになっている。そして、このアプリケーション管理部１３０は、当該読み出したＷｅｂページ用ＵＲＬデータに基づいて通信制御部１１０におけるＷｅｂページデータの取得制御を行うとともに、通信制御部１１０とサーバ装置１０とのデータ通信によって取得したＷｅｂページデータを、表示制御部１６０を制御して表示部１５０に表示させるようになっている。
【００６３】
状態検出部１４０は、携帯用電話機１００の起動を検出するようになっており、当該携帯用電話機１００が所定の操作が不能な操作不能状態から所定の操作が可能になった操作可能状態に切り換わったことを検出した場合に、システム制御部１８０に当該携帯用電話機１００が操作可能状態になった旨をシステム制御部１８０に出力するようになっている。
【００６４】
具体的には、状態検出部１４０は、当該携帯用電話機１００の電源がＯＮされたときに、当該携帯用電話機１００における操作待機状態から操作可能になる通常の動作状態に復帰するときに、および、当該携帯用電話機１００における受信待機状態から操作可能になる通常の動作状態に復帰するときに、その起動を検出するようになっている。
【００６５】
例えば、当該携帯用電話機１００の一部をスライドさせて通信端末装置として使用できる状態（以下、「通信使用状態」という。）に変化させるスライド式、当該携帯用電話機１００の一部を回転させて通信使用形態に変化させる回転式または当該携帯用電話機１００の一部を開いて通信使用状態に変化させる折り畳み式など携帯用電話機１００における通信使用状態と、操作待機状態または受信待機状態と、の当該携帯用電話機１００自体の形態が異なる場合に、他の状態から通信使用状態に変化させる際の動作、すなわち、設定操作または通信操作などの操作可能状態を検出するようになっており、当該操作可能状態になった旨をシステム制御部１８０に出力するようになっている。
【００６６】
表示部１５０は、液晶素子またはＥＬ（Electro Luminescence）素子によって構成され、表示制御部１６０にて生成された表示データに基づいて所定の画像を表示するようになっている。
【００６７】
表示制御部１６０は、システム制御部１８０の制御の下、他の電話機との通話を行う際に、または、他の通信端末装置と通信を行う際に表示部１５０に種々の画像を表示するための表示データを生成するようになっている。
【００６８】
特に、本実施形態の表示制御部１６０は、操作状態切換時に一覧表データをアプリケーション管理部１３０から取得するとともに、当該取得した一覧表データに基づいて表示部１５０に表示するための表示データを生成し、当該生成した表示データを表示部１５０に出力するようになっている。
【００６９】
操作部１７０は、各操作指令を入力する操作ボタン、テンキーおよびその他の数字キーなど、多数のキーにより構成されている。特に、本実施形態の操作部１７０は、通話または着信における種々の操作を行うときに用いられるとともに、要点データ用ＵＲＬデータのデータ格納部１２０への登録する際に、および、一覧表データが表示部１５０に表示されている際に一の要点データを選択した際の当該要点データに対応するＷｅｂページデータを取得する際に用いられるようになっている。
【００７０】
出力制御部２００は、システム制御部１８０の制御の下、着信時に予め設定された呼出音のデータを読み出すとともに音信号に変換し、当該変換された音信号に対して信号レベルの増幅などの種々の処理を行い、呼出音拡声用スピーカＳＰ１に出力するようになっている。
【００７１】
音声処理部２１０は、システム制御部１８０の制御の下、他の電話機との通話を行う際に、マイクロホンＭを介して入力された送話する音声に対して所定の処理を行い、通信制御部１１０を介して通話先に送話音声をデータとして送信するようになっている。
【００７２】
受話制御部２２０は、システム制御部１８０の制御の下、他の電話機との通話を行う際に、受話音声を受話用スピーカＳＰ２に拡声させるようになっている。
【００７３】
システム制御部１８０は、主に中央演算処理装置（ＣＰＵ）によって構成されるとともに、バスＢによって各部と接続されており、携帯用電話機１００の全般的な機能を総括的に制御するようになっている。
【００７４】
具体的には、このシステム制御部１８０は、通話機能、通信機能などの携帯用電話機１００全体の動作を制御する際に、ＲＯＭ／ＲＡＭ１９０に格納される制御プログラムを読み出して各部の制御を行うとともに、当該ＲＯＭ／ＲＡＭ１９０に処理中のデータを一時的に保持するようになっている。
【００７５】
なお、本実施形態のシステム制御部１８０は、タイマ機能を有し、アプリケーション管理部１３０の指示の下に、現在の日時を当該アプリケーション管理部１３０に通知するようになっている。
【００７６】
次に、図３を用いて本実施形態のアプリケーション管理部１３０における一覧表データ生成処理について説明する。なお、図３は、本実施形態のアプリケーション管理部１３０における一覧表データ生成処理携の動作を示すフローチャートである。
【００７７】
以下の説明において、複数の要点データ用ＵＲＬデータがデータ格納部１２０に既に登録されているものとする。
【００７８】
まず、システム制御部１８０が要点データを取得する所定のタイミングか否かを判断し（ステップＳ１０１）、所定のタイミングであると判断してアプリケーション管理部１３０に一覧表データ生成処理の実行を指示すると（ステップＳ１０２）、当該アプリケーション管理部１３０は、一の要点データ用ＵＲＬデータをデータ格納部１２０から読み出す（ステップＳ１０３）。
【００７９】
次いで、アプリケーション管理部１３０は、システム制御部１８０を介して通信制御部１１０を制御し、当該読み出した要点データ用ＵＲＬデータに対応するサーバ装置１０と通信回線を確立する（ステップＳ１０４）。
【００８０】
次いで、アプリケーション管理部１３０は、通信制御部１１０を介して通信回線を確立したサーバ装置１０から要点データおよびＷｅｂページ用ＵＲＬデータを取得するとともに（ステップＳ１０５）、取得した要点データに日時データが含まれているか否かを判断する（ステップＳ１０６）。なお、例えば、アプリケーション管理部１３０は、上述のように、要点データを構成するリソースデータに所定の文字から記述されるタグの有無を判断する。
【００８１】
このとき、アプリケーション管理部１３０は、取得した要点データに日時データが含まれていると判断した場合には、当該要点データから日時データを抽出して、当該要点データおよびＷｅｂページ用ＵＲＬデータとともに抽出した日時データをデータ格納部１２０に記憶する（ステップＳ１０７）。
【００８２】
一方、アプリケーション管理部１３０は、取得した要点データに日時データが含まれていないと判断した場合には、当該要点データから日時を示す文字を検索する（ステップＳ１０８）。
【００８３】
次いで、アプリケーション管理部１３０は、検索することによって日時を示す文字を認識できたか否かを判断し（ステップＳ１０９）、当該日時を認識することができた場合には、当該要点データから日時を認識して日時データを生成し、当該要点データおよびＷｅｂページ用ＵＲＬデータとともに生成した日時データをデータ格納部１２０に記憶する（ステップＳ１１０）。
【００８４】
なお、このとき、アプリケーション管理部１３０は、当該日時を認識することができない場合には、ステップＳ１１１の処理に移行する。
【００８５】
次いで、アプリケーション管理部１３０は、未だ要点データを取得していない要点データ用ＵＲＬデータがあるか否かを判断し（ステップＳ１１１）、当該未だ要点データを取得していない要点データ用ＵＲＬデータがある場合には、ステップＳ１０３の処理に移行するとともに、当該未だ要点データを取得していない要点データ用ＵＲＬデータがない場合には、ステップＳ１１２の処理に移行する。
【００８６】
最後、アプリケーション管理部１３０は、現在の月日と各要点データにおける日時データに基づいて各要点データを配列させて一覧表データを生成するとともに新たな一覧表データに更新し（ステップＳ１１２）、本動作を終了させる。
【００８７】
なお、このように生成して更新された一覧表データは、状態検出部１４０において操作状態切換時に表示制御部１６０に出力され、当該表示制御部１６０は、入力された一覧表データに基づいて表示データを生成して表示部１５０に表示させる。また、アプリケーション管理部１３０は、一覧表データの表示中に一の要点データの選択操作が為された場合には、上述のように、Ｗｅｂページデータ選択表示制御を行う。
【００８８】
以上本実施形態の携帯用電話機１００は、各要点データが配列された時点の日付より先に生じる事象の記事を配列して表示するので、操作者自身の今後の行動の参考にすることが可能な情報を容易に提供することができるとともに、当該情報を提供するにあたり利便性を向上させることができる。
【００８９】
また、本実施形態の携帯用電話機１００は、要点データに含まれている日時データを取得すること、または、当該要点データを構成している文書から日時を認識して日時データを取得するので、日時データが要点データに含まれている場合には、当該要点データから抽出して、または、日時データが含まれていない場合であっても、要点データから認識することによって、事象が実施される日時を取得することができる。
【００９０】
また、本実施形態の携帯用電話機１００は、操作不能状態から当該操作手段における操作が可能となる操作可能状態に切り換わったタイミング各要点データを表示するので、特別の操作を行うことなく、かつ、確実に、各要点データを操作者に閲覧させることができ、操作者自身の今後の行動の参考にすることが可能な情報を容易に提供すること、および、当該情報を提供するにあたり利便性を向上させることができる。
【００９１】
また、本実施形態の携帯用電話機１００は、操作者によって表示された各要点データのうち一の要点データが選択されると、当該選択された要点データに対応する記事デーが表示されるので、操作者が興味を頂いた記事に関しては、要点だけでなく、記事全体を提供することができ、操作者に情報を提供するにあたり更に利便性を向上させることができる。
【００９２】
また、本実施形態の携帯用電話機１００は、予め設定された期間内における要点データのみを日時データによって示される日時に基づいて配列するので、操作者自身の今後の行動と無関係の記事を排除することができ、情報を提供するにあたり更に利便性を向上させることができる。
【００９３】
また、本実施形態の携帯用電話機１００は、記事の内容を的確に表す見出しを用いて記事データの要点を表示することができるので、的確にかつ確実に操作者に情報を提供することができる。
【００９４】
なお、本実施形態のアプリケーション管理部１３０は、要点データ内に記述されている日時データを抽出することによって当該日時データを取得するようになっているが、勿論、要点データと別データとして提供されている日時データを取得するようにしてもよい。
【００９５】
また、本実施形態では、一覧表データには各要点データのＵＲＬが表示されていないが、勿論、各要点データのＷｅｂページ用ＵＲＬデータに基づいて個々にＵＲＬを表示するようにしてもよい。
【００９６】
また、本実施形態のアプリケーション管理部１３０は、各要点データに基づいて一覧表データを生成するようになっているが、一定時間毎に要点データが切り換わる切換表示、所定の数の要点データ毎に切り換わるスクロール表示を行うようにしてもよい。
【００９７】
また、本実施形態では、要点データとしてＷｅｂページデータの見出しに係る文書データが提供されるようになっているが、Ｗｅｂページデータを構成する文書における文頭から所定の文字までを要点データとして提供されるようにしてもよい。
【００９８】
本実施形態のアプリケーション管理部１３０は、「本日」、「今日」または「明日」などの文書データ中に日時を示す文字を検出し、システム制御部１８０におけるタイマ機能によって現在の日時に対応付けて日時を認識するようになっているが、文書データをサーバ装置１０から携帯電話機１００に提供する際の発信日時または受信日時など文書データがネットワーク上または携帯電話機１００にて授受される際に自動的に付与される日時を示す属性情報に基づいて、文書データ中において検出された文字が示す日時を認識するようにしてもよい。
【００９９】
また、本実施形態では、要点データまたはＷｅｂページデータを一のサーバ装置１０から提供されてもよいし、複数のサーバ装置１０から提供されていてもよい。
【０１００】
また、本実施形態の携帯用電話機１００は、上述のように、一覧表データ生成表示処理およびＷｅｂページデータ選択表示処理を行うようになっているが、当該携帯用電話機１００にコンピュータおよび記録媒体を備えるとともに、これらの一覧表データ生成表示処理およびＷｅｂページデータ選択表示処を理実行する制御プログラムを記録媒体に格納し、このコンピュータで当該各制御プログラムを記録媒体から読み込むことによって上述と同様の処理を行うようにしてもよい。
【図面の簡単な説明】
【０１０１】
【図１】一実施形態の携帯用電話機が属する音データ配信システムの構成を示すブロック図である。
【図２】本願に係る携帯用電話機の構成を示す構成図である。
【図３】一実施形態のアプリケーション管理部における一覧表データ生成処理携の動作を示すフローチャートである。
【符号の説明】
【０１０２】
１００  …  携帯用電話機
１１０  …  通信制御部
１２０  …  データ格納部
１３０  …  アプリケーション管理部
１４０  …  状態検出部
１５０  …  表示部
１６０  …  表示制御部
１７０  …  操作部
１８０  …  システム制御部
１９０  …  ＲＯＭ／ＲＡＭ
２００  …  出力制御部
２１０  …  音声処理部
２２０  …  受話制御部
Ｍ  …  マイクロホン
ＳＰ１  …  呼出音拡声用スピーカ
ＳＰ２  …  受話用スピーカ
【図１】
2007148956.tif 000003
【図２】
2007148956.tif 000004
【図３】
2007148956.tif 000005